(57)【要約】【課題】  戸板が開閉方向に傾斜したとしても円滑に移動させることができるようにしたフリーオープンタイプの折り戸用下部ガイド部材を提供する。【解決手段】  蝶番１５により垂直方向の側縁が互いに接続された複数組の戸板から構成され、各組の双方の戸板１１，１２，１３，１４は、蝶番を備えた側縁とは反対側の側縁付近で、その上端が開口部の上端に設けられた上部レールに沿って移動する吊り車部材により支持され、またその下端が、開口部の下端に設けられた上方が開放した下部レールに沿って摺動し得る下部ガイド部材２０により支持されている折り戸１０に関し、下部ガイド部材２０が、下部レール１９に沿って摺動または垂直軸の周りに転動可能なローラ２１と、ローラの上方に向かって延び戸板に接続される支持軸２３と、ローラ２１と支持軸２３との接続部に介在し、ローラ２１と支持軸２３とを球嵌合により互いに三軸方向に回動可能に支持するボールジョイント２２と、を有するように、折り戸用下部ガイド部材１０を構成する。【選択図】  図６
2018031133.tif 000002
【特許請求の範囲】
【請求項１】
蝶番により垂直方向の側縁が互いに接続された複数組の戸板から構成され、各組の双方の戸板は、前記蝶番を備えた側縁とは反対側の側縁付近で、その上端が開口部の上端に設けられた上部レールに沿って移動する吊り車部材により支持され、またその下端が、開口部の下端に設けられた上方が開放した下部レールに沿って摺動し得る下部ガイド部材により支持されている折り戸に関し、
前記下部ガイド部材が、
前記下部レールに沿って摺動または垂直軸の周りに転動可能なローラと、
前記ローラの上方に向かって延び前記戸板に接続される支持軸と、
前記ローラと前記支持軸との接続部に介在し、前記ローラと前記支持軸とを球嵌合により互いに三軸方向に回動可能に支持するボールジョイントと、
を有することを特徴とする、折り戸用下部ガイド部材。
【請求項２】
前記ボールジョイントは、外側面が球面状をなす円筒形であって、前記ローラの下側から前記ローラの内径内に三軸方向に回動可能に嵌装され前記支持軸の下端が挿通しカシメられることで前記支持軸に接続されるピロボールである、請求項１に記載の折り戸用下部ガイド部材。
【請求項３】
前記ローラが、前記下部レールの上方の開放部の幅より小さい外径を有しており、
前記下部レールが、その開放部を画成する上縁から内側に向かって突出するリブを備えていることを特徴とする、請求項１または２に記載の折り戸用下部ガイド部材。
【請求項４】
前記ピロボールが、その下縁から半径方向外側に突出する抜け止め用フランジを備えていることを特徴とする、請求項１から３の何れかに記載の折り戸用下部ガイド部材。
【請求項５】
前記支持軸に嵌挿され且つ前記戸板の下端面に設けられた取付孔に挿入固定されるケースを備え、
前記ケースが、前記支持軸に対して軸方向に沿って移動可能に支持されており、弾性部材により上方に向かって付勢されていることを特徴とする、請求項１から４の何れかに記載の折り戸用下部ガイド部材。
【請求項６】
前記ケースが、下端が開放した中空円筒状に形成されており、前記支持軸に対して入れ子式に被嵌されると共に、弾性部材が、前記ケースの閉塞した上端内側面と前記支持軸の上端面との間に張架されている圧縮コイルバネであることを特徴とする、請求項５に記載の折り戸用下部ガイド部材。
【発明の詳細な説明】
【技術分野】
【０００１】
本発明は、所謂フリーオープンタイプの折り戸に関し、特に戸板の下端を開口部の下端に沿って設けられた下部レールに沿って移動可能に支持する下部ガイド部材に関するものである。
【背景技術】
【０００２】
従来、このようなフリーオープンタイプの折り戸は、蝶番により垂直方向の側縁が互いに接続された複数組の戸板から構成されている。
各組の戸板は、前記蝶番を備えた側縁とは反対側の側縁付近で、その上端が開口部の上端に設けられた上部レールに沿って移動する吊り車部材により支持されていると共に、その下端が開口部の下端に設けられた下部レールに沿って摺動し得る下部ガイド部材により支持されている。
【０００３】
このような折り戸は、上部レール及び下部レールに沿ってそれぞれ吊り車及び下部ガイド部材が移動することにより、各対の戸板同士が重なった折り畳み状態と、各対の戸体同士が一つの面を構成するように展開した状態との間で、自由に回動し得る。
そして、折り戸は、展開状態で全体として開口部を閉鎖すると共に、折り畳み状態では、開口部の一側または他側に寄せられ、あるいは開口部の側縁から離れた位置で保持され得る。
【０００４】
従来、このような下部ガイド部材としては、例えば特許文献１による吊戸の下部ランナ構造が知られている。
即ち、特許文献１では、床面等に設置され上部開口と上部開口に連通した内部空隙とを備えた下部レールと、上部で荷重が支えられた吊戸の下部に取り付けられ下部レールの上部開口，内部空隙を走行するコマ部材を備えた下部ランナとからなる吊戸の下部ランナ構造において、下部ランナのコマ部材は水平断面が円形に形成されていて下端部に大径部が設けられ、下部レールは上部開口の幅が下部ランナのコマ部材の大径部よりも狭く形成され内部空隙の幅が同大径部よりも広く形成され、下部ランナのコマ部材の大径部の一側が傾斜して下部レールの上部開口から内部空隙に片寄せすることにより同大径部の他側が下部レールの上部開口を通過可能になるように寸法設定したことを特徴とする吊戸の下部ランナ構造が開示されている。
【０００５】
このような構成の下部ランナ構造によれば、戸板が開閉方向に移動されると、下部ランナ構造のコマ部材が下部レールに沿って摺動または転動することにより、戸板の下端が開閉方向に案内されることにより、戸板が円滑に移動し得るようになっている。
【先行技術文献】
【特許文献】
【０００６】
【特許文献１】特開２０００ー１７０４３２号公報
【発明の概要】
【発明が解決しようとする課題】
【０００７】
ところで、このような折り戸の使用に際して、折り畳んだ状態の対の戸板を、上部レール及び下部レールに沿って開閉方向に移動させようとする場合に、特に戸板の上方を手で持って移動させようとする場合、戸板が開閉方向に傾斜してしまう。
このとき、戸板の上端に取り付けられた吊り車は、開閉方向に戸板が傾斜しても上部レールに沿って円滑に移動することが可能であるが、戸板の下端に取り付けられた下部ガイド部材は、そのローラが下部レール内で傾斜することにより、ローラが下部レール内で噛んでしまい、ローラの下部レールに対する移動または転動が困難になってしまう。
例えば特許文献１による下部ランナ構造においては、コマ部材が、支持軸の下端の軸部に回動可能に支持されており、支持軸が傾斜した場合には、コマ部材も下部レール内で開閉方向に傾斜することになるため、コマ部材の一部が下部レール内面と干渉してしまい、コマ部材が下部レールに沿って移動し得なくなったり、場合によってはコマ部材または下部レールの内面が傷ついたり破損したりすることもある。
【０００８】
本発明は、以上の点に鑑み、簡単な構成により、戸板が開閉方向に傾斜したとしても円滑に移動させることができるようにしたフリーオープンタイプの折り戸用下部ガイド部材を提供することを目的としている。
【課題を解決するための手段】
【０００９】
上記目的は、本発明の構成によれば、蝶番により垂直方向の側縁が互いに接続された複数組の戸板から構成され、各組の双方の戸板は、蝶番を備えた側縁とは反対側の側縁付近で、その上端が開口部の上端に設けられた上部レールに沿って移動する吊り車部材により支持され、またその下端が、開口部の下端に設けられた上方が開放した下部レールに沿って摺動し得る下部ガイド部材により支持されている折り戸に関し、下部ガイド部材が、下部レールに沿って摺動または垂直軸の周りに転動可能なローラと、ローラの上方に向かって延び戸板に接続される支持軸と、ローラと支持軸との接続部に介在し、ローラと支持軸とを球嵌合により互いに三軸方向に回動可能に支持するボールジョイントと、を有することを特徴とする、折り戸用下部ガイド部材により、達成される。
【００１０】
この構成によれば、下部レールに嵌合するローラに対して、戸板の下端に取り付けられた支持軸がボールジョイントを介して三軸方向に回動可能に支持されている。
従って、折り畳んだ状態で互いに重なった各組の戸板を上部レール及び下部レールの長手方向（開閉方向）に沿って移動させようとして、特に戸板の上方を手で持って移動させようとする場合に、戸板が開閉方向に関して傾斜したとき、戸板に対してケースを介して固定された支持軸も傾斜することになる。
【００１１】
ここで、支持軸は、ローラに対してボールジョイントを介して三軸方向に回動可能であることから、その傾斜がボールジョイントにより吸収されることになる。従って、ローラが支持軸の傾斜に伴って傾斜することがないので、戸板の開閉方向の移動に伴って、ローラは円滑に下部レール内を摺動し、または垂直軸の周りに転動する。
これにより、戸板が開閉方向に傾斜していたとしても、ローラが下部レール内で傾斜により噛んでしまうようなことがなく、傾斜した戸板が下部レールに沿って円滑に移動し得る。
【００１２】
本発明による折り戸用下部ガイド部材において、好ましくは、ボールジョイントは、外側面が球面状をなす円筒形であって、ローラの下側からローラの内径内に三軸方向に回動可能に嵌装され支持軸の下端が挿通しカシメられることで支持軸に接続されるピロボールであることを特徴とする。
この構成によれば、ピロボールの球面状の外側面がローラの内径内に三軸方向に回動可能に取り付けられることによって、ピロボールがローラに対して傾斜し得るように支持されると共に、ピロボールに対してローラが回動可能であることにより、下部レール内でローラが転動可能に支持されることになる。
【００１３】
本発明による折り戸用下部ガイド部材において、好ましくは、ローラが、下部レールの上方の開放部の幅より小さい外径を有しており、下部レールが、その開放部を画成する上縁から内側に向かって突出するリブを備えていることを特徴とする。
この構成によれば、前もって開口部の下縁に取り付けられた下部レールに対して、ローラが上方から挿入され得、容易に戸板を組み付けることが可能であると共に、ローラが下部レール内を摺動または転動する際に、ローラの周縁が下部レールの上縁から内側に突出するリブに対して当接することにより、ローラの下部レールからの浮き上がりや飛び出しが規制され得る。
【００１４】
本発明による折り戸用下部ガイド部材において、好ましくは、ピロボールが、その下縁から半径方向外側に突出する抜け止め用フランジを備えていることを特徴とする。
この構成によれば、戸板そして支持軸の傾斜に伴ってピロボールが回動する際に、ピロボールに対して上方への不用意な力が加えられたとき、ピロボールのフランジがローラの下縁に当接することにより、ピロボールのローラからの抜けが防止され得る。
【００１５】
本発明による折り戸用下部ガイド部材において、好ましくは、支持軸に嵌挿され且つ戸板の下端面に設けられた取付孔に挿入固定されるケースを備え、ケースが支持軸に対して軸方向に沿って移動可能に支持されており、弾性部材により上方に向かって付勢されている。
本発明による折り戸用下部ガイド部材は、好ましくは、ケースが、下端が開放した中空円筒状に形成されており、支持軸に対して入れ子式に被嵌されると共に、弾性部材が、ケースの閉塞した上端内側面と前記支持軸の上端面との間に張架されている圧縮コイルバネであることを特徴とする。
この構成によれば、支持軸がケースを介して戸板の下端に取り付けられることになり、下端が開放した中空円筒状のケースに対して弾性部材好ましくは圧縮コイルバネにより支持軸が下方に押圧されるので、支持軸からピロケースを介してローラも下方に押圧される。従って、ローラは、常に弾性部材により間接的に下方に押圧されることにより、下部レールに対して安定して当接するので、戸板の開閉方向への移動時に円滑に戸板が移動され得る。
【発明の効果】
【００１６】
このようにして、本発明によれば、簡単な構成により、戸板が開閉方向に傾斜したとしても円滑に移動させることができるようにしたフリーオープンタイプの折り戸用下部ガイド部材を提供することができる。
【図面の簡単な説明】
【００１７】
【図１】本発明による折り戸用下部ガイド部材の一実施形態を組み込んだ折り戸の全閉状態を示す概略正面図である。
【図２】図１の折り戸の開き始めの状態を示す概略斜視図である。
【図３】図１の折り戸における各戸板の開口部上端及び下端への取付状態の要部を拡大して示す（Ａ）概略側面図及び（Ｂ）概略正面図である。
【図４】図１の折り戸における下部ガイド部材の構成を示す分解斜視図である。
【図５】図４の下部ガイド部材の使用時に角度θだけ開閉方向に傾斜した状態を示す拡大側面図である。
【図６】図５の下部ガイド部材のＡーＡ線断面図である。
【図７】図５の下部ガイド部材の下端付近の詳細を示す部分拡大側面図である。
【図８】図６の下部ガイド部材の下端付近の詳細を示す部分拡大断面図である。
【発明を実施するための形態】
【００１８】
図１は、本発明による折り戸用ガイド部材の一実施形態を組み込んだ折り戸の構成を示している。
図１に示すように、折り戸１０は、それ自体公知の構成であって、二組の戸板１１，１２，１３，１４から構成されている。
各組の一方の戸板１１，１３は、その右側縁が、他方の戸板１２，１４の左側縁に対して、それぞれ三つの蝶番１５により互いに揺動可能に支持されている。
そして、各戸板１１〜１４は、互いに展開した状態で、図１に示すように、一つの平面状となって、戸枠により画成される開口部１６を閉鎖する。
【００１９】
戸板１１及び１３の左側縁付近の上部、そして戸板１２及び１４の右側縁付近の上部には、それぞれ吊り車部材１７が取り付けられている。
図３には、戸板１１に取り付けられた吊り車部材１７が示されている。
【００２０】
吊り車部材１７は、公知の構成であって、開口部１６の上縁に取り付けられた上部レール１８に沿って走行するガイド部材１７ａと、戸板１１の左側縁付近の上部に取り付けられる戸板取付部材１７ｂと、これらガイド部材１７ａ及び戸板取付部材１７ｂとを連結する垂直な支持軸１７ｃと、から構成されており、ガイド部材１７ａが、上部レール１８に沿って長手方向（Ｘ方向）に走行することにより、開口部１６に対して開閉可能に支持されている。
【００２１】
これに対して、戸板１１及び１３の左側縁付近の下部、そして戸板１２及び１４の右側縁付近の下部には、それぞれ下部ガイド部材２０が取り付けられている。
図３には、戸板１１の左側縁付近の下部に取り付けられた下部ガイド部材２０が示されている。
下部ガイド部材２０は、図４から図８に示すように、ローラ２１，ピロボール２２，支持軸２３，バネ２４，キャップ２５及びケース２６から構成されている。
なお、図５から図８においては、下部ガイド部材２０は、その支持軸２３，バネ２４，キャップ２５及びケース２６が、Ｘ方向に角度θだけ傾斜した状態で示されている。
【００２２】
ローラ２１は、例えばＰＯＭ（ポリアセタール）等のプラスチックから構成されており、図７に詳細に示すように、垂直な中心軸の周りに回転対称に形成されており、その外側面には段部２１ａを介して上側が小径部２１ｂ，下側が大径部２１ｃとして形成されている。
これにより、ローラ２１は、開口部１６の下縁に取り付けられた下部レール１９内でＸ方向に沿って摺動または転動する。ローラ２１が下部レール１９内で転動するとき、大径部２１ｃが転動面として機能する。
【００２３】
下部レール１９は、図５及び図６に示すように、開口部１６の下縁上に設置され、ローラ２１のＸ方向の移動に関してＹ方向の振れを規制してＸ方向に円滑に案内するように、Ｘ方向に延びる溝部１９ａを備えており、図７に示すように、この溝部１９ａの上端両側からそれぞれＹ方向内側に突出するリブ１９ｂを備えている。
ここで、ローラ２１の大径部２１ｃの外径は、図７に示すように、下部レール１９のリブ１９ｂ間の幅Ｗより小さく選定されている。
これにより、ローラ２１を下部レール１９内に挿入する際に、容易に挿入することができると共に、ローラ２１が傾いた場合にはローラ２１の大径部２１ｃが下部レール１９のリブ１９ｂに下方から当接することにより、ローラ２１が下部レール１９から抜けにくく、また水平を保ちやすくなっている。
また、ローラ２１の段部２１ａは、図７に示すように、下部レール１９のリブ１９ｂに対して、間隙ｄを有している。これにより、ローラ２１が下部レール１９内をＸ方向に向かって円滑に摺動または転動することができる。
【００２４】
また、ローラ２１は、図８に詳細に示すように、Ｚ方向に延びる中空部を備えており、その内面にも段部２１ｄが形成され、この段部２１ｄから上側の内周面２１ｅが、Ｚ方向のほぼ中間高さの中心軸上に中心を有する凹球面状に形成されている。
【００２５】
ピロボール２２は、例えばＰＢＴ（ポリブチレンテレフタレート）等のプラスチックから構成されており、図８に詳細に示すように、全体として偏平で下端が閉じた中空円筒状に形成されている。
ピロボール２２は、その外周面２２ａがＺ方向のほぼ中間高さの中心軸上に中心を有する球面状に形成されている。この外周面２２ａの曲率半径は、ローラ２１の内周面２１ｅの曲率半径より僅かに小さく、即ちローラ２１の中空部内にピロボール２２が嵌挿されたとき、ピロボール２２がローラ２１に対して三軸方向に容易に回動し得るように、選定されている。
また、ピロボール２２は、その外周面２２ａの下縁から半径方向外側に突出するフランジ部２２ｂを備えている。これにより、ローラ２１がピロボール２２に対して一定以上傾いた場合にはピロボール２２のフランジ部２２ｂがローラ２１の内側に設けられた段部２１ｄに当接することにより、ローラ２１がピロボール２２から下方に抜けないようになっている。
さらに、ピロボール２２は、その下端の中心に貫通孔２２ｃを備えている。
【００２６】
支持軸２３は、例えばＳＷＣＨ（冷間圧造用炭素鋼線）等の金属から構成されており、Ｚ方向に延びる円筒状に形成されている。
そして、支持軸２３は、図４，図６及び図８に示すように、その下端の中心から中心軸方向に沿って下方に突出する中空円筒状のカシメ部２３ａを備えている。このカシメ部２３ａは、その外径が、ピロボール２２の貫通孔２２ｃより小さく選定されている。
さらに、支持軸２３は、その上端により大きな外径の拡大部２３ｂを備えている。
【００２７】
ここで、カシメ部２３ａがピロボール２２の貫通孔２２ｃに完全に挿入された状態で、その先端がカシメられることにより、支持軸２３がピロボール２２に対して固定保持される。図８等においてカシメ部２３ａの下端がピロボール２２の貫通孔２２ｃから突出しているが、実際にはカシメ部２３ａの下端は外側にカシメられるため、ピロボール２２の下面とほぼ面一となる。
以上の機構により、ピロボール２２の外周面２２ａとローラ２１の内周面２１ｅとの間の球面嵌合が所謂ボールジョイントとして機能することによって、支持軸２３は、ローラ２１に対して三軸方向に回動可能に支持されることになる。
【００２８】
バネ２４は、圧縮コイルバネであって、その外径は、支持軸２３の拡大部２３ｂの外径とほぼ同じか僅かに小さく選定されている。
キャップ２５は、例えばＰＡ６６（ナイロン６６）等のプラスチックから構成されており、偏平な円板状に形成されていると共に、その外径が支持軸２３の拡大部２３ｂの外径と同じに選定されている。
【００２９】
ケース２６は、キャップ２５と同じ材料から構成されており、上下が開放した中空円筒状に形成されていると共に、外周面が上部領域で上方に向かってやや先細に形成されており、戸板の下端面に設けられた取付孔内に挿入されやすくなっている。
ケース２６の内径は、上述した支持軸２３，バネ２４及びキャップ２６を受容し得る大きさに選定されている。
ケース２６の下端は、図８に詳細に示すように、その外周縁から半径方向内側に向かって突出するフランジ部２６ａを備えており、その内径は、支持軸２３の外径より僅かに大きく、支持軸２３が軸方向に移動し得るように選定されている。
また、ケース２６の上端は、その外周縁の内側に係合溝２６ｂを備えており、キャップ２５がケース２６の上端に押し込まれたとき、キャップ２５の外周縁が係合溝２６ｂに係合することにより、キャップ２５がケース２６の上端に固定保持される。
以上の機構において、ケース２６内で、バネ２４が圧縮方向に弾性変形することにより、支持軸２３が、上方に向かって移動可能であると共に、常にバネ２４の張力により下方に付勢されている。
ここで、支持軸２３は、その上端に設けられた拡大部２３ｂが、ケース２６の下端に設けられたフランジ部２６ａの上面に当接することにより、ケース２６から脱落しないようになっている。
【００３０】
本発明による折り戸用下部ガイド部材２０は、以上のように構成されており、以下のようにして組み立てられる。
まず、ケース２６の上端から支持軸２３，バネ２４が挿入され、キャップ２６がケース２６の上端に取り付けられる。このとき、支持軸２３がバネ２４の張力により下方に付勢されることにより、支持軸２３の下端は、ケース２６の下端から下方に突出している。
そして、ローラ２１にピロボール２２が、内周面２１ｅに対して外周面２２ａが当接するように押し込まれ、続いて支持軸２３の下端に設けられたカシメ部２３ａが、支持軸２３の下端面がピロボール２２の上面に接するまで、ピロボール２２の貫通孔２２ｃ内に完全に挿入される。
その後、ピロボール２２の下端面から下方に突出している支持軸２３のカシメ部２３ａがカシメられ、支持軸２３がピロボール２２に対して固定保持される。このとき、カシメ部２３ａは、カシメにより円周外側方向に潰れるので、ピロボール２２の下端面から下方へは殆ど突出していない。
以上で、下部ガイド部材２０の組立が完了する。
【００３１】
このようして組み立てられた下部ガイド部材２０は、図１に示すように、折り戸１０を構成する各組の戸板１１〜１４に対して取り付けられる。即ち、戸板１１，１３では、その左側縁付近の下端に、また戸板１２，１４では、その右側縁付近の下端に、それぞれ下部ガイド部材２０が取り付けられる。
【００３２】
下部ガイド部材２０の各戸板１１〜１４への取付は、以下のようにして行なわれる。
即ち、各下部ガイド部材２０は、それぞれ下部レール１９の所定位置に落とし込まれ、前もって取り付けられた下部キャッチ３０に対して仮固定される。この状態において、戸板１１〜１４が下部レール１９の上方に持ち来たされ、戸板１１〜１４の下端面に設けられた取付孔が対応する下部ガイド部材２０の上端であるケース２６の上端と整合されて、戸板１１〜１４が下方に降下される。これにより、各下部ガイド部材２０が、それぞれ戸板１１〜１４の下端面の所定位置に圧入されて、固定されることになる。
このようにして、各下部ガイド部材２０がそれぞれ戸板１１〜１４の下端面に取り付けられる。
そして、開口部１６の上縁に取り付けられた上部レール３１に対して、同様に上部キャッチ３１を利用して、吊り車部材１７が仮固定されており、下部ガイド部材２０が上述のように取り付けられた戸板１１〜１４が、下部レール１９付近を中心として、Ｘ方向の軸の周りに揺動されることにより、戸板１１〜１４の側面（図１で紙面手前側の面）に設けられた取付孔内に挿入され、適宜の手段により固定される。
【００３３】
かくして、各戸板１１〜１４は、上端が吊り車部材１７により上部レール１８によりＸ方向に移動可能に支持されると共に、下端が下部ガイド部材２０により下部レール１９に対して同様にＸ方向に移動可能に案内されて、開口部１６に対して開閉可能に、また折り畳み可能に取り付けられる。
その際、各戸板１１〜１４のＺ方向の位置は、上端に取り付けられた吊り車部材１７により規制されているので、これに対応して、バネ２４が所定寸法だけ圧縮された状態にあり、下部ガイド部材２０の支持軸２３は、ケース２６に対してバネ２４により下方に向かって付勢されている。
これにより、ローラ２１は、ピロボール２２を介して支持軸２３により下方に向かって付勢されることになるので、ローラ２１は、下部レール１９から浮き上がるようなことがなく、安定して下部レール１９上を摺動または転動することになり、各戸板１１〜１４は、下部レール１９上で安定して移動され得ることになる。
同時に、バネ２４の張力によって、ケース２６が上方に押圧されることになり、ケース２６は、常に戸板１１〜１４に設けられた取付孔に対して押し込まれるように付勢されるので、ケース２６が戸板１１〜１４の取付孔から脱落してしまうようなことはない。
【００３４】
そして、各戸板１１〜１４が展開した状態で、図１に示すように、折り戸１０が開口部１６を閉鎖する。
また、各組の戸板１１，１２及び１３，１４がそれぞれ互いに折り畳まれて、開口部１６が開放されることになる。
【００３５】
ここで、各戸板１１〜１４が折り畳まれた状態でＸ方向に移動される際に、戸板１１〜１４が図６に示すように角度θだけＸ方向に関して傾斜すると、下部ガイド部材２０のケース２６及び支持軸２３も角度θだけ傾斜することになる。
その際、支持軸２３は、ピロボール２２に対して三軸方向に回動可能に支持されているので、支持軸２３が角度θだけ傾斜したとしても、ローラ２１は傾斜することがなく、また回転を妨げられることがない。従って、このように戸板１１〜１４及び下部ガイド部材２０のケース２６及び支持軸２３が傾斜しても、ローラ２１は、下部レール１９を傷つけたり、下部レール１９に噛んでしまうようなことはなく、下部レール１９に対してＸ方向に円滑に移動することができる。
【産業上の利用可能性】
【００３６】
本発明はその趣旨を逸脱しない範囲において様々な形態で実施することができる。
例えば、上述した実施形態においては、下部ガイド部材２０は、その支持軸２３がバネ２４を介してケース２６に対してＺ方向に移動可能に構成されているが、これに限らず、支持軸２３が直接に戸板１１〜１４の下端の所定位置に取り付けられていてもよい。
【００３７】
上述した実施形態においては、下部ガイド部材２０の支持軸２３は、ピロボール２２を介してローラ２１に取り付けられているが、これに限らず、他の構成の所謂ボールジョイント等のユニバーサルジョイントを介して、支持軸２３がローラ２１に対して三軸方向に回動可能に支持されていてもよい。
【００３８】
上述した実施形態においては、折り戸１０は、開口部１６を開閉するように設置されているが、これに限らず、大きな部屋等の間仕切りとして折り戸１０が設置されている場合にも、本発明による下部ガイド部材２０を利用することが可能である。
【００３９】
以上述べたように、本発明によれば、簡単な構成により、戸板が開閉方向に傾斜したとしても円滑に移動させることができるようにした、極めて優れたフリーオープンタイプの折り戸用下部ガイド部材が提供される。
【符号の説明】
【００４０】
１０    折り戸
１１，１２，１３，１４    戸板
１５    蝶番
１６    開口部
１７    吊り車部材
１８    上部レール
１９    下部レール
１９ａ  溝部
１９ｂ  リブ
２０    折り戸用下部ガイド部材
２１    ローラ
２１ａ  段部
２１ｂ  小径部
２１ｃ  大径部
２１ｄ  段部
２１ｅ  内周面（球面）
２２  ピロボール
２２ａ  外周面（球面）
２２ｂ  貫通孔
２３    支持軸
２３ａ  カシメ部
２３ｂ  拡大部
２４    バネ
２５    キャップ
２６    ケース
２６ａ  フランジ部
２６ｂ  係合溝
３０    下部キャッチ
３１    上部キャッチ
【図１】
2018031133.tif 000003
【図２】
2018031133.tif 000004
【図３】
2018031133.tif 000005
【図４】
2018031133.tif 000006
【図５】
2018031133.tif 000007
【図６】
2018031133.tif 000008
【図７】
2018031133.tif 000009
【図８】
2018031133.tif 000010